(57)【要約】【課題】火災受信機における定期交換部品を定期交換する前に、ユーザに通知する作業が容易である火災受信機を提供することを目的とするものである。【解決手段】火災受信機における定期交換部品の使用期間をカウントするタイマを設け、このタイマにセットされている使用期間が所定期間に達すると、上記定期交換部品を交換することを勧める旨を示す情報を、画面へ表示し、音響装置へ音響出力し、プリンタへプリント出力することによって、交換時期の到来を通知する火災受信機である。【選択図】図１
2007286799.tif 000002
【特許請求の範囲】
【請求項１】
火災受信機における定期交換部品の使用期間をカウントするタイマと；
上記タイマにセットされている上記使用期間が所定期間に達すると、上記定期交換部品を交換することを勧める旨を示す情報を通知する通知手段と；
を有することを特徴とする火災受信機。
【請求項２】
請求項１において、
上記タイマをリセットするリセット手段を有し、
上記通知手段は、上記タイマをリセットしなければ、上記定期交換部品を交換することを勧める旨を示す情報を、定期的に再通知する手段であることを特徴とする火災受信機。
【発明の詳細な説明】
【技術分野】
【０００１】
本発明は、火災受信機に関する。
【背景技術】
【０００２】
従来、火災受信機には、寿命のある部品がいくつか使用されている。これらの部品については、通常、不具合となってから交換され、部品によっては、交換されずに放置される場合もある。
【０００３】
従来の防災受信機には、表示部が設けられ（たとえば、特許文献１参照）、この表示部も、寿命のある部品であり、定期交換が必要である。また、火災受信機には、ＡＣ／ＤＣ電源、プリンタ、予備電源等が設けられ、これらも寿命がある部品であり、たとえば５年毎に定期交換が必要である。
【特許文献１】特開２００５−０３２０２５公報
【発明の開示】
【発明が解決しようとする課題】
【０００４】
上記交換に際して、ユーザが自ら気づくか、メンテナンス業者が、定期交換の前にユーザに予め通知する。たとえば、火災報知設備のメンテナンス時に、定期交換部品の交換時期が間もなく到来することを、口頭で通知するか、または、交換時期が到来する前に、定期交換に必要な資料を、ユーザに送付している。
【０００５】
しかし、上記従来例において、火災受信機における定期交換部品の定期交換の前に、ユーザに通知する作業が煩雑であるという問題がある。
【０００６】
また、上記従来例において、定期交換の通知を忘れると、定期交換部品が、交換されずに放置されやすいという問題がある。
【０００７】
本発明は、火災受信機における定期交換部品の定期交換の前に、ユーザに通知する作業が容易である火災受信機を提供することを目的とするものである。
【０００８】
また、本発明は、定期交換部品が、交換されずに放置され難い火災受信機を提供することを目的とするものである。
【課題を解決するための手段】
【０００９】
本発明は、火災受信機における定期交換部品の使用期間をカウントするタイマと、このタイマにセットされている使用期間が所定期間に達すると、上記定期交換部品を交換することを勧める旨を示す情報を、画面へ表示し、音響装置へ音響出力し、プリンタへプリント出力し、通知する火災受信機である。
【発明の効果】
【００１０】
本発明によれば、火災受信機における定期交換部品の定期交換の前に、ユーザに通知する作業が容易であるという効果を奏する。
【発明を実施するための最良の形態】
【００１１】
発明を実施するための最良の形態は、以下の実施例である。
【実施例１】
【００１２】
図１は、本発明の実施例１である火災受信機ＲＥ１を含む火災報知設備ＦＡ１のシステム構成を示すブロック図である。
【００１３】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１４】
また、火災報知設備ＦＡ１は、メッセージ表示機Ｄ１、Ｄ２、〜、Ｄ３１と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００１５】
図２は、火災受信機ＲＥ１を示すブロック図である。
【００１６】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００１７】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して移報を制御する基板である。ＭＣＵ基板２０は、主制御ユニット基板であり、表示部・メイン処理用の基板であり、メモリカードＣ１が挿入、接続される。ＯＰＯ基板Ｂ１は、出力用基板である。ＯＰＩＮ基板Ｂ２は、入力用基板である。
【００１８】
ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００１９】
ＭＣＵ基板２０は、主制御ユニットの基板であり、タイマと、通知手段とを有する。
【００２０】
上記タイマは、火災受信機ＲＥ１における定期交換部品の使用期間をカウントするタイマである。なお、定期交換部品毎に対応する複数のタイマが設けられている。
【００２１】
上記通知手段は、上記タイマにセットされている使用期間が所定期間に達すると、定期交換部品を交換することを勧める旨を示す情報を通知する手段である。また、この通知手段は、ＬＣＤ３０の画面への表示、音響装置としてのスピーカＳＰ１への音響出力、プリンタＰＲ１へのプリント出力のうちの少なくとも１つによって通知する手段である。
【００２２】
インバータＩＮＶ１は、ＬＣＤ３０のバックライトを駆動する電源を制御するものである。
【００２３】
タッチパネルＴＰとして作用するＬＣＤ３０は、操作および表示手段の例である。
【００２４】
ＣＴＵ基板Ｂ６〜Ｂｎは、端末と接続する伝送基板であり、２系統分の伝送線を制御する。予備電源ＢＴとしてのバッテリは、ＡＣ１００Ｖによって、ＰＳＵ基板１０、トランス、充電回路を介して、常時充電され、ＡＣ１００Ｖの停電時に、ＡＣ／ＤＣ電源ＡＣ／ＤＣの代わりに、直流電圧、ＤＣ２４ＶをＰＳＵ基板１０に供給する。
【００２５】
次に、ＬＣＤ３０に表示される各種表示画面について説明する。
【００２６】
図４は、実施例１において、通常時にＬＣＤ３０に表示される通常画面Ｇ１を示す図であり、定期交換部品の交換時期が到来する前の表示画面である。
【００２７】
この図４を用いて、ＬＣＤ３０の画面構成について説明する。
【００２８】
ＬＣＤ３０には、メニュー表示エリアＡ１と、端末表示エリアＡ２と、各種表示エリアＡ３とが設けられている。
【００２９】
メニュー表示エリアＡ１は、試験スイッチＳＷ１１と、保守スイッチＳＷ１２と、遮断スイッチＳＷ１３と、トレンドスイッチＳＷ１４と、表示機呼び出しスイッチＳＷ１５と、手動制御スイッチＳＷ１６と、防災動力制御スイッチＳＷ１７と、管理設備情報スイッチＳＷ１８が表示される領域である。
【００３０】
端末表示エリアＡ２は、火災、ガス漏れ、端末装置（図１の防排煙設備ＤＳ１、ＤＳ２等の設備機器）によるそれぞれの発報総数が表示される領域である。
【００３１】
各種表示エリアＡ３は、メニュー表示エリアＡ１の各スイッチＳＷ１１〜ＳＷ１８等の操作によって、各種の画面が表示される領域であり、通常画面Ｇ１では、図４に示すように、ブランク表示である。
【００３２】
図５は、実施例１において、ＬＣＤ３０に表示される交換画面Ｇ２を示す図であり、作業者が定期交換部品の定期交換を行う画面である。
【００３３】
交換画面Ｇ２は、ＬＣＤ３０に固定配置されるメニュー表示エリアＡ１の保守スイッチＳＷ１２を操作すると表示される。交換画面Ｇ２は、各種表示エリアＡ３に「交換予測設定」画面が表示される画面である。
【００３４】
「交換予測設定」画面は、交換終了スイッチＳＷ３１、ＳＷ３２、ＳＷ３３、ＳＷ３４と、再計測開始スイッチＳＷ３５と、終了スイッチ３６と、各定期交換部品名と、各タイマの経時による各定期交換部品の使用期間とが表示される画面である。
【００３５】
交換終了スイッチＳＷ３１は、ＬＣＤユニット３０を交換した場合に押すスイッチである。交換終了スイッチＳＷ３２は、ＡＣ／ＤＣ電源ＡＣ／ＤＣを交換した場合に押すスイッチである。交換終了スイッチＳＷ３３は、プリンタＰＲ１を交換した場合に押すスイッチである。交換終了スイッチＳＷ３４は、予備電源ＢＴを交換した場合に押すスイッチである。再計測開始スイッチＳＷ３５は、各タイマの再計測を開始するときに押すスイッチであり、交換終了スイッチＳＷ３１〜ＳＷ３４のいずれかが選択操作されると、操作無効（グレー表示）から操作有効（クリア表示）になるスイッチであり、図５に示す状態は、操作無効状態である。終了スイッチ３６は、交換画面Ｇ２を終了して、通常画面Ｇ１に復帰させる場合に押すスイッチである。
【００３６】
図６は、実施例１において、ＬＣＤ３０に表示されるインフォメーション画面Ｇ３を示す図であり、定期交換部品の交換時期が到来したことを知らせる画面である。
【００３７】
インフォメーション画面Ｇ３は、各種表示エリアＡ３に「交換を勧める表示」画面が表示され、メニュー表示エリアＡ１に交換用アイコンＩＣＮ１が表示される画面である。交換用アイコンＩＣＮ１は、定期交換部品の交換時期が到来したことを示すアイコンであり、交換時期（たとえば４年６ヶ月）を経過した定期交換部品が全て交換されると消去される。
【００３８】
次に、実施例１における動作について説明する。
【００３９】
図３は、実施例１におけるＭＣＵ基板２０の動作を示すフローチャートである。
【００４０】
まず、火災受信機における各定期交換部品（定期的に交換すべき部品）の使用期間をカウントするために、各タイマのカウンタを０にセットし、次に、Ｓ１で、１日経過毎にカウントアップする。つまり、火災受信機ＲＥ１の電源が現場でＯＮされ、各タイマによるカウントが開始される。このタイマは、たとえば、４年６ヶ月をカウントする。上記タイマは、ＭＣＵ基板２０が有する機能である。このとき、通常画面Ｇ１がＬＣＤ３０上に表示されている。
【００４１】
Ｓ２で、定期交換部品が破損した場合等によって、新たな部品に交換したかどうかを判断する。なお、定期交換部品を交換した場合、操作者が、通常画面Ｇ１の保守スイッチＳＷ１２を操作して、交換画面Ｇ２を表示させ、対応する定期交換部品の交換終了スイッチＳＷ３１〜３４を押し、次に、再計測開始スイッチＳＷ３５を押す。このスイッチ操作を検出することによって、新たな部品に交換されたことを、ＭＣＵ基板２０が認識する。
【００４２】
Ｓ２で、定期交換部品を交換したことがなければ、Ｓ３で、４年６ヶ月が経過したかどうかを判断する。
【００４３】
図３に示すフローチャートにおいて、Ｓ３で、４年６ヶ月が経過した定期交換部品があるかどうかを判断し、４年６ヶ月が経過した定期交換部品があれば、Ｓ４で、交換を勧める旨を表示し、交換用アイコンＩＣＮ１を表示し、スピーカＳＰ１から警告音響を鳴動する。たとえば、ピッ、ピッ、ピッ等、交換を促す音を、１分間、鳴動する。
【００４４】
ＬＣＤ表示例としては、図６に示すインフォメーション画面Ｇ３であり、メニュー表示エリアＡ１と、端末表示エリアＡ２と、交換用アイコンＩＣＮ１とが表示され、各種表示エリアＡ３は、交換を勧める表示が行われる。上記交換を勧める表示は、たとえば、「定期交換部品○○○は、交換期限が間もなく到来します。○○○の新品への交換をお勧めします。」である。
【００４５】
Ｓ５で、交換を勧める表示を１５分間経過した後に、自動消去し、インフォメーション画面Ｇ３から通常画面Ｇ１に復帰し、警告音響の鳴動を１分間経過した後に、停止する。
【００４６】
なお、図３のフローチャートには示していないが、Ｓ４、Ｓ５の経過時において、メニュー表示エリアＡ１の保守スイッチＳＷ１２を操作すると、図７に示す交換画面Ｇ４が表示される。交換画面Ｇ４は、上記交換画面Ｇ２とほぼ同様であるが、交換用アイコンＩＣＮ１が表示されていることと、Ｓ３で４年６ヶ月が経過したと判断された定期交換部品について、その経過年数（使用期間）が通常時の黒色と異なる赤色で表示されていることとが異なる。
【００４７】
ここで、４年６ヶ月が経過すると、図７では、ＡＣ／ＤＣ電源の交換時期が到来したので、ＡＣ／ＤＣ電源を作業員が交換し、このＡＤ／ＤＣ電源を交換した後に、図７に示すように、対応するＡＣ／ＤＣ電源の交換終了スイッチＳＷ３２を押す。
【００４８】
次に、この操作によって、グレー表示からクリア表示になった再計測開始スイッチＳＷ３５を操作すると、Ｓ６で、定期交換したかどうかが判断される。つまり、定期交換部品を交換し、再計測開始スイッチＳＷ３５を操作したかどうかを判断する。定期交換部品の定期交換が終了し（たとえば、ＡＣ／ＤＣ電源を定期交換し）、対応する交換終了スイッチＳＷ３２を操作し、再計測スイッチＳＷ３５を操作する（押す）と、Ｓ７で、図８に示すように、交換画面Ｇ４において、経過年数が、０年０ヶ月（黒字）に設定された旨が表示され、対応するタイマが０にリセットされ、交換用アイコンＩＣＮ１が消去される。また、再計測開始スイッチＳＷ３５が、クリア表示から、操作無効を示すグレー表示に変化する。
【００４９】
そして、終了スイッチＳＷ３６を押す（操作する）ことによって、交換画面Ｇ４から、通常画面Ｇ１に復帰する。
【００５０】
なお、Ｓ６で定期交換されていないと判断されると、Ｓ８で、定期的に（たとえば１週間に１度）、端末等の自動試験が行われるときに、図６に示すインフォメーション画面Ｇ３（音響鳴動を含む）が表示される（Ｓ４）。
【００５１】
定期交換部品の交換予測機能は、定期交換部品について、その交換時期が近づいたことを知らせる機能である。この場合、ＬＣＤ３０、ＡＣ／ＤＣ電源ＡＣ／ＤＣ、プリンタＰＲ１、予備電源ＢＴが、定期交換の対象であり、交換時期は全て５年である。この５年は、火報工業会推奨年数を採用したものである。
【００５２】
実施例１によれば、火災受信機ＲＥ１における定期交換部品の定期交換の前に、ユーザに通知する作業が容易である。
【００５３】
また、実施例１によれば、火災受信機ＲＥ１における定期交換部品の定期交換の前に、ユーザに通知することによって、故障が生じる前に、交換を勧める通知をユーザにし、ユーザがこの通知に従えば、定期交換部品の経年変化による火災受信機ＲＥ１の故障を、事前に阻止することができる。
【実施例２】
【００５４】
本発明の実施例２は、実施例１において、リモートメンテナンスを行う火災受信機である。
【００５５】
つまり、定期交換部品の交換時期が到来する前に、上記タイマが経過時間を計測し、遠隔地に設けられているセンターに、上記計測結果を転送し、これによって、そのセンターが、遠隔的にメンテナンスすることができ、しかも、集中してメンテナンスすることができる。
【００５６】
上記実施例では、寿命のある定期交換部品について、火災受信機ＲＥ１を設置した後に電源投入してから、タイマ機能を働かせ、所定の期間が経過したときに、定期交換部品を交換することを推奨する。そして、ＬＣＤでの交換推奨の表示を、消去することができる。更新入力がなければ（タイマをリセットしなければ）、定期的に（１週間毎のシステム試験の際に）、定期交換部品を交換することを勧める旨を再表示し、再鳴動する。また、更新入力によって（タイマをリセットすることによって）、タイマ機能がリセットされ、期間を再度計測する。
【００５７】
上記実施例では、寿命期間（使用期間）を計数するタイマ手段と、交換推奨の表示を行う表示手段（ＬＣＤ）と、注意音を鳴動する音響手段と、寿命期間の経過に基づく表示と音響とを制御する制御手段とを備える。
【００５８】
ＭＣＵ基板２０は、火災受信機における定期交換部品の使用期間をカウントするタイマの例である。
【００５９】
ＭＣＵ基板２０は、タイマにセットされている使用期間が所定期間に達すると、定期交換部品を交換することを勧める旨を示す情報を通知する通知手段の例である。上記所定期間は、４年間〜５年間のうちのいずれかの期間である。また、ＭＣＵ基板２０は、画面への表示、音響装置への音響出力、プリンタへのプリント出力のうちの少なくとも１つによって通知する手段である。つまり、上記実施例の画面への表示、音響装置への音響出力の他に、プリンタＰＲ１へのプリント出力をすることもできる。
【００６０】
そして、上記通知手段は、上記タイマをリセットしなければ、定期的に、上記定期交換部品を交換することを勧める旨を示す情報を再通知する手段である。
【００６１】
上記実施例において、タイマをリセットするリセット手段が設けられ、上記通知手段は、上記タイマがリセットされ、その後に、上記タイマにセットされている使用期間が所定期間に達すると、上記定期交換部品を交換することを勧める旨を示す情報を通知する手段である。
【００６２】
さらに、ＭＣＵ基板２０は、表示と音響とを定期的に制御し、また、タイマ手段をリセットして寿命期間を再度計数させる入力手段を有する。
【図面の簡単な説明】
【００６３】
【図１】本発明の実施例１である火災受信機ＲＥ１を含む火災報知設備ＦＡ１のシステム構成を示すブロック図である。
【図２】火災受信機ＲＥ１を示すブロック図である。
【図３】実施例１における動作を示すフローチャートである。
【図４】実施例１において、ＬＣＤ３０に表示されている通常画面Ｇ１を示す図である。
【図５】実施例１において、ＬＣＤ３０に表示されている交換画面Ｇ２である。
【図６】実施例１において、ＬＣＤ３０に表示されているインフォメーション画面Ｇ３を示す図である。
【図７】実施例１において、ＬＣＤ３０に表示されている交換画面Ｇ４を示す図である。
【図８】実施例１において、ＬＣＤ３０に表示されている交換画面Ｇ４であり、再計測開始スイッチＳＷ３５の操作を説明する画面を示す図である。
【符号の説明】
【００６４】
ＦＡ１…火災報知設備、
ＲＥ１…火災受信機、
２０…ＭＣＵ基板、
３０…ＬＣＤ、
Ｇ１…通常画面、   
Ａ１…メニュー表示エリア、
Ａ２…端末表示エリア、
Ａ３…各種表示エリア、
ＩＣＮ１…交換用アイコン、
ＳＷ３１〜ＳＷ３４…交換終了スイッチ、
ＳＷ３５…再計測開始スイッチ。
【図１】
2007286799.tif 000003
【図２】
2007286799.tif 000004
【図３】
2007286799.tif 000005
【図４】
2007286799.tif 000006
【図５】
2007286799.tif 000007
【図６】
2007286799.tif 000008
【図７】
2007286799.tif 000009
【図８】
2007286799.tif 000010